【事件の表示】
　特許第３２３３６４９号「液晶表示装置及びそれを用いた電子機器」の請求項１ないし３に係る特許に対する特許異議の申立てについて、次のとおり決定する。
【結　論】
　訂正を認める。
　特許第３２３３６４９号の請求項１、２に係る特許を取り消す。
【理　由】
１．手続の経緯
　本件特許第３２３３６４９号の請求項１及び２に係る発明についての出願は、平成３年３月１２日に特許出願され、その発明について特許の設定登録がなされ、その後、その特許について、特許異議申立人池田英治より特許異議の申立てがなされ、取消理由が通知され、その指定期間内である平成１４年１０月４日に訂正請求がなされたものである。
　なお、特許異議申立てにおいて、本件についての特許出願に関する平成１３年７月１６日付けの手続補正書による、「液晶層」を「ＳＴＮ型の液晶層」とする補正が要旨変更である旨の主張がなされているが、本件についての特許出願の願書に最初に添付された明細書において、例として２６０°ツイストしている液晶を用いることについて記載されており、この液晶がＳＴＮ型のものであるのは明らかであり、また、上記補正によりツイストの角度に関して新たな実施例が加わっていることはなく、上記補正は明細書の要旨を変更するものではないので、本件についての特許出願の出願日は上記のとおりである。
　　　
２．訂正の適否についての判断
ア．訂正の内容
ａ．特許請求の範囲の請求項１を削除する。
ｂ．特許請求の範囲の請求項２中の、
  「前記発光手段は、」を「ＳＴＮ型の液晶層がその間に位置するように、第１の偏光層及び第２の偏光層からなる一対の偏光層を配置してなり、透過型表示及び反射型表示を行なうことができる液晶表示装置において、前記第２の偏光層と前記液晶層との間に、入射する光のうちの一部を透過することができる光反射層を配置し、前記第２の偏光層に対して前記光反射層とは反対側に発光手段を設けてなり、前記発光手段は、」と訂正するとともに、項番号を「１」に繰り上げる。
ｃ．特許請求の範囲の請求項３中の、
　「請求項１または請求項２記載の」を「請求項１記載の」と訂正するとともに、項番号を「２」に繰り上げる。
ｄ．明細書の段落【０００６】中の、
　「なることを特徴とする。」を「なり、前記発光手段は、点灯状態と非点灯状態が切り替え可能であって、前記発光手段が点灯状態のときには、前記発光手段からの光が、前記第２の偏光層、前記光反射層、前記液晶層及び前記第１の偏光層を順次通過するようにして透過型表示を行ない、前記発光手段が非点灯状態のときには、前記第１の偏光層を透過した光が、前記液晶層を透過して前記光反射層で反射して再び前記液晶層及び前記第１の偏光層を透過して反射型表示を行うように構成することを特徴とする。」と訂正する。
ｅ．明細書の段落【０００７】中の、
　「　さらに、前記発光手段は、点灯状態と非点灯状態が切り替え可能であって、前記発光手段が点灯状態のときには、前記発光手段からの光が、前記第２の偏光層、前記光反射層、前記液晶層及び前記第１の偏光層を順次透過するようにして透過型表示を行ない、前記発光手段が非点灯状態のときには、前記第１の偏光層を透過した光が、前記液晶層を透過して前記光反射層で反射し再び前記液晶層及び前記第１の偏光層を透過して反射型表示を行なうように構成することを特徴とする。」を削除する。
イ．訂正の目的の適否、新規事項の有無及び拡張・変更の存否
　訂正事項ａは、特許請求の範囲の記載において、請求項１を削除するものであり、また、訂正事項ｂ及びｃは、請求項２を独立項にして新たな請求項１とし、請求項３を新たな請求項１に従属する形式にして新たな請求項２とし、訂正事項ａによる訂正に対応して特許請求の範囲の記載形式を整えるものであるから、訂正事項ａ〜ｃは、特許請求の範囲の減縮又は明りょうでない記載の釈明に該当し、新規事項の追加に該当せず、また、実質上特許請求の範囲を拡張し、又は変更するものでもない。
　訂正事項ｄ及びｅは、それぞれ訂正事項ａ及びｂとの整合を図るために、明細書の段落【０００７】の記載に基づいて段落【０００６】の記載を訂正し、段落【０００７】を削除するものであるから、明りょうでない記載の釈明に該当し、新規事項の追加に該当せず、また、実質上特許請求の範囲を拡張し、又は変更するものでもない。
ウ．判断　
　したがって、上記訂正は、特許法第１２０条の４第第２項の規定及び同条第３項において準用する平成６年法律第１１６号よる改正前の特許法第１２６条第１項ただし書及び第２項の規定に適合するので、当該訂正を認める。
　　　　　
３．特許異議の申立てについての判断
ア．本件発明
　特許第３２３３６４９号の請求項１及び２に係る発明（以下、それぞれ本件発明１及び本件発明２という）は、平成１４年１０月４日付けで提出された訂正明細書の特許請求の範囲の請求項１及び２に各々記載されたとおりの次のものである。
　「【請求項１】　ＳＴＮ型の液晶層がその間に位置するように、第１の偏光層及び第２の偏光層からなる一対の偏光層を配置してなり、透過型表示及び反射型表示を行なうことができる液晶表示装置において、前記第２の偏光層と前記液晶層との間に、入射する光のうちの一部を透過することができる光反射層を配置し、前記第２の偏光層に対して前記光反射層とは反対側に発光手段を設けてなり、前記発光手段は、点灯状態と非点灯状態が切り替え可能であって、
　前記発光手段が点灯状態のときには、前記発光手段からの光が、前記第２の偏光層、前記光反射層、前記液晶層及び前記第１の偏光層を順次透過するようにして透過型表示を行ない、
　前記発光手段が非点灯状態のときには、前記第１の偏光層を透過した光が、前記液晶層を透過して前記光反射層で反射し再び前記液晶層及び前記第１の偏光層を透過して反射型表示を行なうように構成することを特徴とする液晶表示装置。
【請求項２】　バッテリーにより電源が供給される電子機器であって、請求項１記載の液晶表示装置を有することを特徴とする電子機器。」
イ．刊行物に記載の事項
　当審で平成１４年７月２４日に通知した取消理由において引用した刊行物には、次のように記載されている。
特開昭６２−１１６９２０号公報（特許異議申立人池田英治の提出した甲第１号証刊行物、以下、刊行物１という）
　「（ロ）従来の技術
　従来の電極着色カラー液晶表示素子はＬＣＤ（液晶表示素子）のセグメント電極上に直接着色層を設け、さらにその上に液晶配向膜を形成している。この方式はＧ−Ｈ　ＬＣＤ（Ｇｕｅｓｔ−Ｈｏｓｔ　ＬＣＤ）、ＴＮ−ＦＥＭ　ＬＣＤ（Ｔｗｉｓｔｅｄ−Ｎｅｍａｔｉｃ　Ｆｉｅｌｄ　Ｅｆｆｅｃｔ　Ｍｏｄｅ　ＬＣＤ）のいずれにも適用可能であり、いずれの場合も背面照明の透過光によるカラーパターンの表示が可能なようにネガタイプの黒色シャッタセルとして用いるのが最も一般的である。
（ハ）発明が解決しようとする問題点
　しかしながら、このようなＬＣＤにおいては、特に昼間太陽光が入射してくる環境条件下で使用すると、背面照明による透過光より太陽入射光が強いため表示の視認性が極端に悪くなるという問題点がある。」（第１頁右下欄第３〜１９行）
　「（ホ）作用
　パール顔料によってカラーパターン着色層が表面入射光に対しては光反射作用を、背面光に対しては透明作用を有する半透過型となるので、強い太陽光などの入射光に対しても視認性が良好なカラー液晶表示素子が得られる。
　（ヘ）実施例
　・・・・第１図（ａ）はこの発明の一実施例を示す説明図であり、（１）はコモン電極（２）を有するガラス基板、（３）はセグメント電極（４）を有するガラス基板、（５）は液晶、（６）は配向膜、（７）は偏光板、（８）はセグメント電極上に形成された透明カラーパターン着色層である。」（第２頁右上欄第４〜１９行）
　「第２図は、透過型および反射型としての表示視認性を評価するために、前述の実施例におけるＬＣＤの印加電圧に対するコントラスト比特性を従来例（パール顔料を使用しないもの）と比較して示したグラフである。・・・・
　ＬＣＤを透過型として評価する場合には背面照明光源としてアクリル板ライトガイドを有する１．８Ｗタングステンランプ（定格１２Ｖ　１５０ｍＡ）２ケを使用した。
　また、ＬＣＤを反射型として評価する場合にはＬＣＤ表面の垂直方向に対して３０°の角度から照射するハロゲンランプを使用した。
　なお、いずれのＬＣＤもセルの両側にニュートラル偏光板を設置している。」（第２頁左下欄第１０行〜右下欄第５行）
　「（ト）発明の効果
　この発明によれば、液晶表示素子が半透過型となるので暗所における表示の十分な視認性が背面照明の装着によって得られると共に、昼間のような明所においても良好な表示の視認性が得られる。」（第３頁右上欄第５〜９行）
　また、第１図（ａ）及び（ｂ）において、カラー液晶表示素子の構成が示され、両方の構成において、それぞれ偏光板が設置された上側のガラス基板と下側のガラス基板とが偏光板が外側になるように対向して配置され、透明カラーパターン着色層は液晶の層と下側のガラス基板に設置された偏光板との間に配置されており、さらに、第２図において、実施例のものと従来のものとに関し透過型と反射型との場合のコントラスト比特性が示されている。
　以上の記載からすれば、刊行物１には、「それぞれ偏光板が設置された上側のガラス基板と下側のガラス基板とが偏光板が外側になるように対向して配置され、その間にＴＮ型の液晶の層が配置され、表面入射光に対して光反射作用を有し背面光に対して透明作用を有するカラーパターン着色層が下側のガラス基板に設置された偏光板と液晶の層との間に配置され、下側のガラス基板に設置された偏光板の下側に背面照明を備えた、透過型及び反射型としての表示を行なうことができるカラー液晶表示素子」が記載されているものと認められる。
特開昭６０−２１４３４２号公報（特許異議申立人池田英治の提出した甲第２号証刊行物、以下、刊行物２という）
　「このような液晶表示装置をカラー液晶表示装置として使用する場合、従来と同様の反射型表示とすると、外光の少ない室内または夜間などは表示が見えないと言う欠点があった。あるいは、その欠点を補うため透過型表示で照明を使用すると、逆に外光の少ないときには見易いが外光の充分なときには、却って画像を見づらくする上、照明用電力が無駄となり、液晶の特徴である低消費電力特性が損なわれるという欠点があった。
　本発明の目的は、外光の充分なときには反射型表示で用いられ、外光の少ない室内または夜間などでは透過型表示で補助照明を行うことにより見易いカラー液晶表示を提供することにある。」（第２頁左上欄第１３行〜右上欄第５行）
「第２図は本発明によるカラー液晶表示装置の一実施例を示す。図中、Ｓは第１の基板、５は該基板上に設けられた薄膜半導体駆動回路、６は第２の基板、７は該基板上に形成された透明電極、８はカラーフィルター、９は両基板を隔てるスペーサ、１０は液晶層、１１ａ，１１ｂは上記の基板の外側に接して設けられた偏光板を示す。・・・・
　本発明によれば、上記の液晶表示装置の非表示側の偏光板１１ｂの外側に接してハーフミラー１２が設けられ、その外側に照明源１４が配置される。」（第２頁左下欄第１〜１９行）
　「すなわち、本発明は、第２図に示すようにハーフミラー層１２を設けることで、反射透過両用型とし、外光及び照明の効率的な利用を実現する。」（第２頁右下欄第１５〜１７行）
ウ．対比、判断
　本件発明１と刊行物１に記載のものとを対比すると、刊行物１に記載のものにおける「上側のガラス基板に設置された偏光板」、「下側のガラス基板に設置された偏光板」、「液晶の層」、「表面入射光に対して光反射作用を有し背面光に対して透明作用を有するカラーパターン着色層」、「背面照明」、「カラー液晶表示素子」は、それぞれ本件発明１における「第１の偏光層」、「第２の偏光層」、「液晶層」、「入射する光のうちの一部を透過することができる反射層」、「発光手段」、「液晶表示装置」に相当し、刊行物１に記載されるカラー液晶表示素子において、背面照明は下側のガラス基板に設置された偏光板に対してカラーパターン着色層とは反対側に設けられており、また、背面照明からの光は下側のガラス基板に設置した偏光板、カラーパターン着色層、液晶の層及び上側のガラス基板に設置された偏光板を透過するようにして透過表示を行い、正面からの光は上側のガラス基板に設置された偏光板及び液晶の層を順次透過してカラーパターン着色層で反射し再び液晶の層及び上側のガラス基板に設置された偏光板を順次透過して反射型表示を行うのは明らかであるから、本件発明１と刊行物１に記載のものとは、「液晶層がその間に位置するように、第１の偏光層及び第２の偏光層からなる一対の偏光層を配置してなり、透過型表示及び反射型表示を行なうことができる液晶表示装置において、前記第２の偏光層と前記液晶層との間に、入射する光のうちの一部を透過することができる光反射層を配置し、前記第２の偏光層に対して前記光反射層とは反対側に発光手段を設けてなり、前記発光手段からの光が前記第２の偏光層、前記光反射層、前記液晶層及び前記第１の偏光層を順次透過するようにして透過型表示を行ない、前記第１の偏光層を透過した光が、前記液晶層を透過して前記光反射層で反射し再び前記液晶層及び前記第１の偏光層を透過して反射型表示を行なうようにした液晶表示装置」である点において一致するが、次の点において相違する。
ａ．本件発明１における液晶層はＳＴＮ型であるのに対し、刊行物１に記載のものにおける液晶の層はＴＮ型である点。
ｂ．本件発明において、発光手段は点灯状態と非点灯状態が切り替え可能であり、発光手段が点灯状態のときには透過型表示を行ない、発光手段が非点灯状態のときには反射型表示を行なうものであるのに対し、刊行物１においては、背面照明が点灯状態と非点灯状態が切り替え可能であることについて明記されていない点。
　そこで、上記相違点について検討する。
相違点ａについて：
　ＳＴＮ型の液晶はＴＮ型の液晶に対して特定の範囲で大きいツイストの角度を有するものであるが、いずれも通常の液晶表示素子として広く用いられており、刊行物１に記載されるカラー液晶表示素子における液晶をＳＴＮ型のものとしても、偏光板、カラーパターン着色層、背面照明等における表示の形態に関しての格別な差異を生ずることはなく、ＴＮ型の液晶に代えてＳＴＮ型の液晶を用いることは、適宜考慮し得るところである。
相違点ｂについて：
　外光が充分なときに反射型表示を行ない、外光の少ないときに補助照明を用いて透過型表示を行なう液晶表示素子について刊行物２に記載されており、この場合外光が充分なときには、画像を見易くし、照明用電力を無駄にしないために、補助照明を非点灯状態にすることは当然である。
　一方、刊行物１に記載のものにおいて、反射型表示に関して背面照明を非点灯状態にすることについては明記されていないが、正面からの光が充分である場合に背面照明を点灯する必要がなく、背面照明を非点灯状態になし得ることは明らかである。
　それゆえ、刊行物２に記載のものを勘案すれば、この相違点も何ら格別のものではなく、それによる作用効果も予測される程度のものである。
　また、相違点ａ及びｂを総合しても、何ら格別な技術的特徴が与えられることはない。
　したがって、本件発明１は、刊行物１及び２に各々記載された発明に基づいて当業者が容易に発明をすることができたものである。
　次に、本件発明２は、バッテリーにより電源が供給される電子機器であって、本件発明１の液晶表示装置を有するものであるが、本件発明１の液晶表示装置が通常の電子機器に用いられることは明らかであり、また、電子機器の電源がバッテリーにより供給されることは周知の事項であるので、本件発明２は、刊行物１及び２に各々記載された発明及び周知の事項に基づいて当業者が容易に発明をすることができたものである。
　　　　
４．むすび
　以上のとおりであるから、本件発明１及び２は、刊行物１及び２に各々記載された発明に基づいて、あるいはそれらと周知の事項とに基づいて当業者が容易に発明することができたものであるから、いずれも特許法第２９条第２項の規定により特許を受けることができないものである。
　したがって、本件発明１及び２についての特許は拒絶の査定をしなければならない特許出願に対してなされたものである。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年１０月３０日（２００２．１０．３０）
【訂正の要旨】
審決（決定）の【理由】欄参照。
（５４）【発明の名称】
液晶表示装置及びそれを用いた電子機器
（５７）【特許請求の範囲】
　【請求項１】　ＳＴＮ型の液晶層がその間に位置するように、第１の偏光層及び第２の偏光層からなる一対の偏光層を配置してなり、透過型表示及び反射型表示を行なうことができる液晶表示装置において、前記第２の偏光層と前記液晶層との間に、入射する光のうちの一部を透過することができる光反射層を配置し、前記第２の偏光層に対して前記光反射層とは反対側に発光手段を設けてなり、前記発光手段は、点灯状態と非点灯状態が切り替え可能であって、
　前記発光手段が点灯状態のときには、前記発光手段からの光が、前記第２の偏光層、前記光反射層、前記液晶層及び前記第１の偏光層を順次透過するようにして透過型表示を行ない、
　前記発光手段が非点灯状態のときには、前記第１の偏光層を透過した光が、前記液晶層を透過して前記光反射層で反射し再び前記液晶層及び前記第１の偏光層を透過して反射型表示を行なうように構成することを特徴とする液晶表示装置。
　【請求項２】　バッテリーにより電源が供給される電子機器であって、請求項１記載の液晶表示装置を有することを特徴とする電子機器。
【発明の詳細な説明】
　【０００１】
　【産業上の利用分野】
　本発明は液晶表示装置の構造及びそれを有する電子機器に関するものである。
　【０００２】
　【従来の技術】
　従来の液晶表示装置は電極を有する一対の基板間に液晶層を挟持した液晶セルと、これを挟んで両側に配置した２つの偏光層からなり、液晶表示装置を透過型で用いる場合には、液晶セルの目視側と反対側の偏光層の外側に平面状の発光体を設置した構造をしていた。また、液晶表示装置を反射型で用いる場合には、液晶セルの目視側と反対側の偏光層の外側に反射層を配置した構造をしていた。しかし、この液晶表示装置では液晶表示装置に入射した光が再び液晶表示装置を出るまでに偏光層を４回も通過するため表示が暗くなってしまうという問題を有していた。この様な問題を解決する手段として近年、図５に示すような液晶層５２を挟むように偏光層５１と反射層５３を配置した新しい反射型液晶モードが提案されている。このモードの液晶表示装置は従来の液晶表示装置と異なり偏光層が１層しかないため、液晶表示装置に入射した光が再び液晶表示装置を出るまでに偏光層を通過する回数は２回となり明るい表示が得られるというもので、従来の液晶表示装置に比べ倍近い明るさの表示が可能となった。
　【０００３】
　【発明が解決しようとする課題】
　しかし、前述の透過型の液晶表示装置を電子機器、特に携帯用パソコンなどに組み込んで使用した場合、電子機器に外部より電源を供給できるときは問題無いが、外部電源を使用せず、電子機器内蔵のバッテリーを使用するときは、内蔵バッテリーの容量が小さいため、電子機器の使用可能時間が短くなってしまうという欠点を有していた。
　【０００４】
　また、前述の偏光層が１層しかない新しい反射型の液晶表示装置を電子機器に組み込んで使用した場合、暗い環境下で用いたときには、液晶表示装置に入射する光の絶対量が低下するため、表示が暗く、内容が認識しにくいという欠点を有していた。
　【０００５】
　そこで、本発明は上記欠点を解決するために、液晶表示装置を、液晶セル背面の発光体を点灯状態としたときは透過型として、非点灯状態としたときは偏光層が１層しかない新しい反射型として用いるものであり、その目的とするところは、明るい環境下では反射型として用いることにより電子機器の使用可能時間を延ばし、暗い環境下では透過型として用いることにより明るい表示が得られる液晶表示装置及びそれを用いた電子機器を提供するところにある。
　【０００６】
　【課題を解決するための手段】
　本発明の液晶表示装置は、ＳＴＮ型の液晶層がその間に位置するように、第１の偏光層及び第２の偏光層からなる一対の偏光層を配置してなり、透過型表示及び反射型表示を行なうことができる液晶表示装置において、前記第２の偏光層と前記液晶層との間に、入射する光のうちの一部を透過することができる光反射層を配置し、前記第２の偏光層に対して前記光反射層とは反対側に発光手段を設けてなり、前記発光手段は、点灯状態と非点灯状態が切り替え可能であって、前記発光手段が点灯状態のときには、前記発光手段からの光が、前記第２の偏光層、前記光反射層、前記液晶層及び前記第１の偏光層を順次透過するようにして透過型表示を行ない、前記発光手段が非点灯状態のときには、前記第１の偏光層を透過した光が、前記液晶層を透過して前記光反射層で反射し再び前記液晶層及び前記第１の偏光層を透過して反射型表示を行なうように構成することを特徴とする。
　【０００７】
　【０００８】
　また、本発明の電子機器は、バッテリーにより電源が供給される電子機器であって、上記のいずれかに記載の液晶表示装置を有することを特徴とする。
　【０００９】
　【実施例】
　以下本発明の一実施例を以下に説明する。
　【００１０】
　〔実施例１〕
　図１に本発明の一実施例である液晶表示装置の断面図を示す。３は一対の基板間に液晶層を挟持した液晶パネルである液晶セルであって、液晶層のセルギャップは８μｍ、液晶のΔｎは０．１で上側基板（目視側）から下側基板に向かって左に２６０°ツイストしている。１は偏光層である上側の偏光板であってその偏光軸と上側基板のラビング軸の角度は３２°である。２は位相差層である一軸延伸フィルムであって、リターデーションの値は０．３２μｍで延伸方向と上側ラビング軸の角度は２４°である。４は光反射層である半透過反射板であってその透過率は４０％である。また、５は偏光層である下側の偏光板であってその偏光軸と上側基板のラビング軸の角度は１０７°である。
　【００１１】
　本実施例の液晶表示装置を明るい環境下で使用するときは、パネル背面の発光体を非点灯状態にして使用する、その場合、液晶表示装置は反射型の液晶表示装置となる。すなわち、上側偏光板より入射した光は一軸延伸フィルム、液晶パネルを通過した後、反射板で反射し、再び液晶パネル、一軸延伸フィルム、上側偏光板を通って液晶表示装置より出てくる。このとき得られた表示のコントラスト比は約１：１０であり、明るさも従来の偏光層を２層有する反射型液晶表示装置の約１．５倍と明るい表示が得られた。また、この場合は、パネル背面の発光体を非点灯状態とするために使用する電力を節約することができ、液晶表示装置を電子機器、特に携帯用パソコンに組み込んで電子機器内蔵のバッテリーにより駆動したとき、その使用可能時間を延ばすことができたことは言うまでもなく明らかである。
　【００１２】
　一方、暗い環境下で使用する際は、発光体を点灯状態にする。この場合は、液晶表示装置は透過型として用いられる。すなわち、発光体を出た光は下側の偏光板を通過した後、半透過反射板、液晶パネル、一軸延伸フィルム、上側偏光板の順に通過して出てくる。このとき得られた表示のコントラスト比は約１：５であり、明るさは従来の透過型液晶表示装置の約７割と若干低下するものの、まったく問題の無いレベルであった。
　【００１３】
　〔実施例２〕
　図３に本発明の一実施例である液晶表示装置の断面図を示す。２３は一対の基板間に液晶層を挟持した液晶パネルである液晶セルであって、液晶層のセルギャップは８μｍ、液晶のΔｎは０．１で上側基板（目視側）から下側基板に向かって左に２６０°ツイストしている。２１は偏光層である上側の偏光板であってその偏光軸と上側基板のラビング軸の角度は３２°である。２２は位相差層である一軸延伸フィルムであって、リターデーションの値は０．３２μｍで延伸方向と上側ラビング軸の角度は２４°である。２４は光反射層である半透過反射板であってその透過率は４０％である。また、２６は偏光層である下側の偏光板であってその偏光軸と上側基板のラビング軸の角度は１０７°である。２５は半透過反射板と下側偏光板の間に設けられた位相差層である一軸延伸フィルムであってそのリターデーションは０．１２μｍで延伸方向と上側ラビング軸との角度は１５５°である。
　【００１４】
　本実施例の液晶表示装置を実施例１同様に、パネル背面の発光体を非点灯状態として使用したとき、得られた表示のコントラスト比は約１：１０であり、明るさも従来の偏光層を２層有する反射型液晶表示装置の約１．５倍と明るい表示が得られた。電子機器に組み込んで使用した場合も、実施例１同様に電子機器内蔵のバッテリーの使用可能時間を延ばすことができたことは言うまでもなく明らかである。
　【００１５】
　一方、発光体を点灯状態にして使用したとき得られた表示のコントラスト比は約１：１０であり、明るさは従来の透過型液晶表示装置の約７割と若干低下するものの、実施例１同様まったく問題の無いレベルであった。
　【００１６】
　〔実施例３〕
　上述の実施例１では、液晶パネルと上側偏光板の間に一軸延伸フィルムを挿入し、実施例２では、液晶パネルと上側偏光板の間と半透過反射板と下側偏光板の間に一軸延伸フィルムを挿入しているが、一軸延伸フィルムを用いない場合も同等な効果は得られ、上側偏光板、液晶パネル、半透過反射板、下側偏光板の間のどの位置に一軸延伸フィルムを挿入しても同等な効果が得られる。また、それぞれを組み合わせても同等な効果が得られる。さらに、一ヶ所に挿入する一軸延伸フィルムの枚数は一枚である必要はなく、複数枚でも同等な効果が得られることは言うまでもない。
　【００１７】
　〔実施例４〕
　半透過反射板としては、一軸延伸フィルムにアルミなどの金属を蒸着したものを用いても、実施例１〜３と同等な効果が得られることは明らかであり、また、この場合は一軸延伸フィルムと半透過反射層が一体となるため、薄型化、信頼性向上などの利点も有る。
　【００１８】
　【発明の効果】
　以上述べたように本発明の液晶表示装置は、液晶層がその間に位置するように一対の偏光層を配置してなり、透過型表示及び反射型表示を行なことができる液晶表示装置において、一対の偏光層のうちの一方の偏光層と液晶層との間に、入射する光のうちの一部を透過することができる光反射層を配置し、一方の偏光層に対して光反射層とは反対側に発光手段を設けてなることにより、液晶表示装置を透過型、反射型の両方で使用することが可能となり、透過型表示の際には、発光体を点灯状態とすることにより明るく見やすい表示を得ることができ、特に反射型表示の場合には、入射光が偏光層を通過する回数が２回となるので明るい反射表示を行なうことができる。
　【００１９】
　また、この液晶表示装置を電子機器に組み込んだ場合、明るい環境下では背面の発光体を非点灯とし反射型で用いることにより、電子機器内蔵のバッテリーの使用可能時間を延ばすことが可能となり、また、暗い環境下では背面の発光体を点灯状態とすることにより明るく、見やすい表示を得ることが可能となる。
【図面の簡単な説明】
　【図１】
　本発明の一実施例を示す断面図。
　【図２】
　図１の液晶パネルにおける偏光板の偏光軸，ラビング方向，位相差フィルムの延伸軸方向の関係を示す図。
　【図３】
　本発明の一実施例を示す断面図。
　【図４】
　図３の液晶パネルにおける偏光板の偏光軸，ラビング方向，位相差フィルムの延伸軸方向の関係を示す図。
　【図５】
　従来の液晶表示装置を示す図。
　【符号の説明】
　１．偏光板
　２．一軸延伸フィルム
　３．液晶パネル
　４．半透過反射板
　５．偏光板
　６．発光体
　１１．上側基板のラビング方向
　１２．一軸延伸フィルムの延伸方向
　１３．上側偏光板の偏光軸の方向
　１４．下側基板のラビング方向
　１５．下側偏光板の偏光軸の方向
　１６．上側基板のラビング軸と一軸延伸フィルムの延伸方向のなす角
　１７．上側基板のラビング軸と上側偏光板の偏光軸のなす角
　１８．上側基板のラビング軸と下側偏光板の偏光軸のなす角
　１９．上側基板のラビング軸と下側基板のラビング軸のなす角
　２１．偏光板
　２２．一軸延伸フィルム
　２３．液晶パネル
　２４．一軸延伸フィルム
　２５．半透過反射板
　２６．偏光板
　２７．発光体
　３１．上側基板のラビング方向
　３２．上側一軸延伸フィルムの延伸方向
　３３．上側偏光板の偏光軸の方向
　３４．下側基板のラビング方向
　３５．下側偏光板の偏光軸の方向
　３６．下側一軸延伸フィルムの延伸方向
　３７．上側基板のラビング軸と上側一軸延伸フィルムの延伸方向のなす角
　３８．上側基板のラビング軸と上側偏光板の偏光軸のなす角
　３９．上側基板のラビング軸と下側偏光板の偏光軸のなす角
　４０．上側基板のラビング軸と下側一軸延伸フィルムの延伸方向のなす角
　４１．上側基板のラビング軸と下側基板のラビング軸のなす角
　５１．偏光板
　５２．液晶パネル
　５３．反射板